(57)【要約】      （修正有）【課題】靴に近い形状に形成して靴収納袋内で携帯時の靴の乱れを抑制し、携帯性、収納性がよく、内部視認識別性、通気性を有し、さらに、ダンス用のハイヒールに適した靴収納袋を提供する。【解決手段】靴が載置される底面布２と、前記底面布外周部に縫着され前記靴を覆う左右上面部と、左右上面部間に縫着された線ファスナー５とからなり、背面部が高く先端に向けテーパー形状の側面視略直角三角形状であることを特徴として靴収納袋１の構成とする。【選択図】図４
0003180656.tif 000002
【実用新案登録請求の範囲】
【請求項１】
靴が載置される底面布と、前記底面布外周部に縫着され前記靴を覆う左右上面部と、左右上面部間に縫着された線ファスナーとからなり、
背面部が高く先端に向けテーパー形状の側面視略直角三角形状であることを特徴とする靴収納袋。
【請求項２】
前記靴が、ダンス用のハイヒールであり、
さらに、
前記底面布の内部上面の左右幅方向略中央部に取り付けられた伸縮性のバンドを備え、
前記ハイヒールを前記靴収納袋に収納した場合に、
前記ハイヒールのヒール部と先端部の底面との間に形成される空間において前記バンドと底面布との間に、前記ハイヒールの底面に用いられる滑止剤を充填した容器を挟持することを特徴とする請求項１に記載の靴収納袋。
【請求項３】
前記靴が、ダンス用のハイヒールであり、
さらに、
前記底面布の内部上面の左右幅方向略中央部に取り付けられた伸縮性のバンドを備え、
前記バンドと底面布との間に、折りたたみ式のゴミ回収ケースを備えたことを特徴とする請求項１に記載の靴収納袋。
【請求項４】
請求項２又は請求項３に記載の靴収納袋の内側又は前記底面布外表面に、ポケットを備えたことを特徴とする靴収納袋。
【考案の詳細な説明】
【技術分野】
【０００１】
本考案は、携帯の便宜のための靴を収納する靴収納袋に関する。さらには、ダンス用のハイヒールシューズのための靴収納袋に関する。
【背景技術】
【０００２】
靴の収納袋としては、特許文献１〜５等が公開されている。特許文献１、２には、ファスナーで開閉して靴を収納、取り出しする携帯用の靴収納袋が開示されている。特許文献３には、メッシュ布で形成したバッグが開示されている。
【０００３】
特許文献４には、履物用袋が公開され、袋の一部に窓３を形成して、内部を視認できるようにしている。特許文献５には、スキー靴の収納具が開示され、収納袋は、スキー靴側面の外形に適合した長靴形状とすることにより、一旦収納されたスキー靴が、振動等によって収納袋内で乱れることがなく、常に体裁良くスキー靴の収納状態を維持することができる（０００９）というものである。
【０００４】
しかしながら、特許文献１〜４の靴を収納する袋等では、内部に余分な空間があり、内部に収納された靴同士が擦れて、劣化してしまう。また、特許文献１、２、５の靴収納袋では、どのような靴が内部に収納されているか、ファスナーを開けないと確認することができない。
【０００５】
他方、特許文献３のバッグでは、全体がメッシュ素材で全体が形成されているため、内部を視認することができるものの、全体がメッシュ素材であるので、内部に収納された靴の保護の観点からは好ましくない。また特許文献４の履物収納袋の窓３は、プラスチックシートであり、通気性がない。そして、特許文献５の靴収納袋の形態では、靴の出し入れが煩雑である。
【０００６】
まして、ダンス用のシューズ、特にハイヒールに特化した、携帯性、靴劣化防止性、内部視認性、通気性、その他ダンスシューズ特有の処理を容易にする靴収納袋はいままで提案されていない。  
【先行技術文献】
【特許文献】
【０００７】
【特許文献１】特開２００８−２２９１９８号公報
【特許文献２】実登３０２２９５３号公報
【特許文献３】実開平０６−３１２４号公報
【特許文献４】実登３０６４４４９号公報
【特許文献５】特開２００１−５４４１７号公報
【考案の概要】
【考案が解決しようとする課題】
【０００８】
そこで、本考案は、靴に近い形状に形成して靴収納袋内で携帯時の靴の乱れを抑制し、携帯性、収納性がよく、さらに内部視認識別性、通気性を有する靴収納袋を提供する。さらに、ダンス用のハイヒールに適した靴収納袋を提供することを目的とする。
【課題を解決するための手段】
【０００９】
本考案は、上記の課題を解決するために、
（１）
靴が載置される底面布と、前記底面布外周部に縫着され前記靴を覆う左右上面部と、左右上面部間に縫着された線ファスナーとからなり、
背面部が高く先端に向けテーパー形状の側面視略直角三角形状であることを特徴とする靴収納袋の構成とした。
（２）
前記靴が、ダンス用のハイヒールであり、
さらに、
前記底面布の内部上面の左右幅方向略中央部に取り付けられた伸縮性のバンドを備え、
前記ハイヒールを前記靴収納袋に収納した場合に、
前記ハイヒールのヒール部と先端部の底面との間に形成される空間において前記バンドと底面布との間に、前記ハイヒールの底面に用いられる滑止剤を充填した容器を挟持することを特徴とする（１）に記載の靴収納袋の構成とした。
（３）
前記靴が、ダンス用のハイヒールであり、
さらに、
前記底面布の内部上面の左右幅方向略中央部に取り付けられた伸縮性のバンドを備え、
前記バンドと底面布との間に、折りたたみ式のゴミ回収ケースを備えたことを特徴とする（１）に記載の靴収納袋の構成とした。
（４）
（２）又は（３）に記載の靴収納袋の内側又は前記底面布外表面に、ポケットを備えたことを特徴とする靴収納袋の構成とした。
【考案の効果】
【００１０】
本考案である靴収納袋は、靴に近い形状に布を縫合して形成されているので、靴収納袋内で携帯時の靴の乱れを抑制し、携帯性、収納性がよく、さらにチュールを部分的に採用することで内部視認識別性、通気性が良好である。
【００１１】
特に、折りたたみ式のゴミ回収ケース、又は／及び滑止剤を充填した容器、それらを係止しする伸縮性のバンドを靴収納袋の底面に備え、またヒールカバー収納等できるポケットを備えることで、ダンス用のハイヒールの携帯用の靴収納袋として最適である。
【図面の簡単な説明】
【００１２】
【図１】本考案である靴収納袋の線ファスナーを開けたときの正面模式図である。
【図２】本考案である靴収納袋の線ファスナーを閉じたときの左側面模式図である。
【図３】図１Ａ−Ａ線位置の断面模式図である。
【図４】図３において、ダンス用ヒールを収納したときの断面模式図である。
【図５】本考案である靴収納袋の各パーツ（共布）の平面模式図である。
【図６】本考案である靴収納袋の各パーツ（裏地布）の平面模式図である。
【図７】本考案である靴収納袋の各パーツ（チュール及び縁布、バンド）の平面模式図である。
【図８】ポケットの縫製を説明する図である。
【図９】ゴミ回収ケースの説明図である。
【図１０】ヒールカバーの説明図である。
【考案を実施するための形態】
【００１３】
以下、添付の図面を参照し、本考案の実施の形態について、詳細に説明する。なお、本考案は下記、実施例に限定されるものではない。
【実施例１】
【００１４】
本考案である靴収納袋は、図１〜８に示すように、底面布２と、左右上面部３、４と、線ファスナー５を縫製してなり、靴の後端部に位置する背面部が高く、靴の先端部に位置する先端に向けテーパー形状の側面視略直角三角形状をしている。なお、線ファスナー５を閉じたときの平面視において、靴の踵部を収納する部分は、靴の甲部を収納する部分より狭い。
【００１５】
底面布２は、図６（ｃ）に示すように、靴が載置され、靴の先端部が位置する部分が幅広で後端部が位置する部分が先端部が位置する部分より幅が細い平面ダルマ型の布である。
【００１６】
左上面部３は、左前布３ａ、左チュール３ｂ、左後布３ｃを、底面布２の縁に底面布２の先端部から前記順に縫い糸２ｅで縫合してなる。
【００１７】
左前布３ａは、右靴の先端部の側面から上面、先端を覆う先端部３ａｂを形成する。左チュール３ｂは、メッシュ、網素材で、線ファスナー５を開くことなく靴収納袋１の内部に収納された靴を確認する窓で、靴収納袋１の一部に形成される。左後布３ｃは、右靴の後端部の側面から上面、背面を覆う。
【００１８】
なお、左前布３ａ、左チュール３ｂ、左後布３ｃは、縫い糸３ｄで縫合された上で底面布２に縫合する。また、左後布は、図５（Ａ）に示す第二辺３ｃｂと第三辺３ｃｃを縫合し縫合部３ｆを形成した上で左チュール３ｂに縫合される。
【００１９】
図５（Ａ）に示す左上面部３の左後布３ｃの他の辺は、次の位置に縫合される。第一辺３ｃａ及び第四辺３ｃｄは底面布２の外周、第五辺３ｃｅは左チュール３ｂ、第六辺３ｃｆは線ファスナー５の一方の辺に縫合される。その結果、図５（Ａ）に示す一点鎖線部で屈曲或いは湾曲して、それぞれ、靴収納袋１の後部の側面部３ｃｇ、背面部３ｃｈ上面部３ｃｉを形成する。
【００２０】
左チュール３ｂは、図７（Ａ）において、上辺が線ファスナー５に、左側面が左前布３ａに、下辺が底面布２に、右辺が左後布３ｃに縫合される。
【００２１】
左前布３ａは、図５（Ｆ）において、上辺が左チュール３ｂに、左辺及び下辺が底面布２に縫合される。
【００２２】
右上面部４は、左上面部３と同様に、同形で左右対象の右前布４ａ、右チュール４ｂ、右後布４ｃを縫製してなる。なお、左上面部３及びその構成部分の「右」を「左」に、符号の「３」を「４」に、左上面部３及びその構成部分に対応する右上面部４及びその構成部分の図を参照することで容易に理解できるため、その説明を省略する。
【００２３】
線ファスナー５は、図５（Ａ）、（Ｂ）に示す、左右後布３ｃ、４ｃの第六辺３ｃｆ、４ｃｆに縫合され、ツマミ５ａで開閉する。ツマミ５ａとしては、音符など意匠的効果を発揮する形状を採用するとよい。
【００２４】
左右上面部３、４が、底面布２の外周部に縫い糸２ｅで縫着され、それぞれ右左の靴の上部を覆う。左右上面部３、４の第六辺３ｃｆ、４ｃｆに線ファスナー５が縫合されているため、線ファスナー５を開閉することで、靴収納袋１の線ファスナー５の開口部から靴を取り出し、靴収納袋１に靴を収納することができる。また、左右チュール３ｂ、４ｂを備えることで、内部に収納した靴を線ファスナー５の開閉を要することなく視認できるとともに、通気性が増す。
【００２５】
ダンスの競技会では異なる種類のダンスを演じる。その場合、ダンス用のハイヒールも異なる形状のものを使用する。左右チュール３、４ｂを備えることで、線ファスナー５を開閉することなく内部のハイヒール１０を視認できることは、異なるハイヒール１０を簡易に視認できるため極めで便利である。
【００２６】
なお、ダンス用のハイヒール１０を収納する靴収納袋１の場合には、伸縮性のバンド６と、ゴミ回収ケース７、容器８、ポケット９を追加的に備える。
【００２７】
伸縮性のバンド６は、ゴムバンド、ゴム紐などである。バンド６は、底面布２の内部上面の左右幅方向略中央部にかつ長手方向の全長わたって配置され、両端部及び前記両端の間の３箇所（図７（Ｄ）波線）で前記底面布の内部上面に縫い糸６ｃで縫着される。なお、挟持する容器８の断面直径に応じて、点線で示す縫い糸６ｄで、スペース６ａを形成するバンド６の長さを調節するとよい。
【００２８】
ハイヒール１０を靴収納袋１に収納した場合に、図４に示すように、ハイヒール１０のヒール部１０ｂと先端部の底面１０ａとの間に形成される空間１０ｄにおいてバンド６と底面布２との間（スペース６ａ）に、ハイヒール１０の底面１０ａに用いられる滑止剤８ａを充填した容器８を、ハイヒール１０の先端部の底面１０ａに位置するバンド６と底面布２との間（スペース６ｂ）に、折りたたみ式のゴミ回収ケース７を挟持することができる。
【００２９】
バンド６と底面布２との間に、容器８及びゴミ回収ケース７を挟持することで、容器８及びゴミ回収ケース７が、携帯移動中に靴収納袋１内で暴れることなく、ハイヒール１０に傷を付けることがない。
【００３０】
ゴミ回収ケース７は、厚紙を略円形に切り抜き、図９（Ａ）に示すグレー部（重ね部７ａ）を折返し、重なる部分を接着することで、図９（Ａ）の形状に成形できる。図９（Ａ）の波線は、折曲げるための折目７ｂである。
【００３１】
そして、図９（Ｂ）〜（Ｆ）に示す手順で、ゴミ回収ケースを折目７ｂにそってゴミ回収ケース７折りたたむことで、コンパクトになり、図１に示すように、伸縮性のバンド６に容易に挟み込むことができる形状になる。ゴミ回収ケース７は、ここの示す形状の他、ゴミを入れることができ、ゴミを溢すことがなく、靴収納袋１に収納することができるものも採用できる。
【００３２】
ダンス用のハイヒール１０では、ハイヒール１０の底面１０ａにゴミが付着するとダンス中に滑りやすくなる。従って、ダンス競技前にハイヒール１０の底面１０ａのゴミを取り除く作業を行うのが一般的である。
【００３３】
しかし、ダンス競技会場は、専用の競技場は少ないため、一般には学校、市立体育館など公共の汎用施設が使用され、ハイヒール１０の底面１０ａのゴミを回収するゴミ箱が用意されていないのが通常である。ましてや、ゴミを剥離した場所に放置することはできない。
【００３４】
従って、ダンス競技者は、従来レジ袋などを別途携帯して、レジ袋の中にハイヒール１０の底面１０ａから剥離したゴミを入れ、持ち帰っていた。しかしながら、競技会場にレジ袋をもっていくこと或いは持ち帰ることを忘れること、またレジ袋を使用している様子は見た目が良くないなどの問題があった。
【００３５】
従って、ダンス用のハイヒール１０専用の靴収納袋１においては、ゴミ回収ケース７を装備することは極めて有意義である。
【００３６】
靴底から剥離したゴミを入れるゴミ回収ケース７を靴収納袋１に備えことで、携帯性、作業光景も改善される。また、伸縮性のバンド６と靴収納袋１の底にキッチリ収納すれば、携帯性が向上するとともに収納効率もよく、簡易かつ低コストで、さらにコンパクトな靴収納袋１を提供することができる。
【００３７】
容器８は、床と接触するハイヒール１０の底面１０ａの滑りを抑制する滑止剤８ａを充填したスプレー缶などである。
【００３８】
ポケット９は、主にヒールカバー１１を収納する袋で、靴収納袋１の内部側面に縫着する。図及び下記説明では、ポケット９を靴収納袋内部側面に縫着しているが、底面布２の外表面にポケット９とは別に、或いはポケット９に代えてポケットを設けてもよい。これらポケットには、ヒールカバー１１に限らず、他の小物を入れることも当然可能である。また、図示した形状でなく、他の形状のポケットであってもよい。
【００３９】
ポケット９は、図５（Ｃ）、（Ｄ）に示すように、円形で同形のポケット表生地９ａとポケット裏生地９ｅを２枚縫い合わせて、成形する。図５（Ｃ）、（Ｄ）の一点鎖線は屈曲位置を示す。また、グレーで着色された部分は、生地のほつれを防ぐためのかがり縫い部である。ポケット９の縫製の一例を以下説明する。
【００４０】
ポケット表生地９ａは、図９（Ａ）に示すように、平面円形の生地の表側の略中央部に、スナップボタンの凹部９ｂが縫着されており、一部が折目９ｃより裏側に折曲げられ縫い糸９ｄ（一点波線）で縫製される。縫い糸９ｇは、ポケット裏生地９ｅとともに、ポケット９を靴収納袋に縫い付けるための糸である。
【００４１】
ポケット裏生地９ｅは、図９（Ｂ）に示すように、平面円形の生地の裏側の上方に、スナップボタンの凸部９ｆが縫着されており、表側には、花形の飾りツマミ９ｈが設けられている。点線で示す折目９ｃは、ポケット９の開閉の際、折り曲げられる位置である。
【００４２】
図９（C）に示すようにポケット裏生地９ｅの裏面の上に、ポケット表生地９ａの裏面を合わせて重ね、縫い糸９ｇで靴収納袋１の側面に縫合する。凹部９ｂと凸部９ｆでスナップボタンを形成し、折目９ｃ部分で屈曲して閉じる。このようにしてなるポケット９にヒールカバー１１を入れることで、きちんと整理されて収納できるとともに、ヒールカバー１１の持ち忘れを減らすことができる。
【００４３】
ヒールカバー１１は、革製で、図１０に示すように、ダンス用のハイヒール１０のヒール部１０ｂの底部１０ｃを覆い、ヒール部１０ｂの底で競技会場の床を傷つけることを防止するものであり、ダンス競技においては一般に使用されている。ヒールカバー１１の形状は、図１０（Ａ）に示す５本の腕部１１ａがある略ヒトデ型をしたものが一般に用いられているが、種々の形状がある。
【００４４】
ヒールカバー１１は、図１０（Ａ）に示すように、ヒール部１０ｂの底を載せた上で、図１０（Ｂ）に示すように５本の腕部１１ａを折り上げヒール部１０ｂの側面に接着剤などで貼り付けて使用する。
【００４５】
ハイヒール１０専用の靴収納袋１に、ヒールカバー１１を収納するポケット９を備えることで、整理ができるとともに、ヒールカバー１１をダンス競技会場にもっていくことを忘れことが減る。ヒールカバー１１は、ダンス競技会場に販売もされているが、使用し慣れたヒールカバー１１でないので、ダンスの質が低下することがしばしばある。
【００４６】
加えて、補助的に、靴収納袋１の内面に裏地として各補強布と、底面布２と左右上面部３、４の縫合部を保護する縁布２ｂと、靴収納袋１を係止する係止部２ｄと、線ファスナー５のツマミ５ａに取り付けた飾り５ｂと、線ファスナー５操作を補助するつまみ２ｆとを備えてもよい。さらに、各補強布と、底面布２、左右上面部を構成する布との間にクッション材を配置することで、一層内部の靴の保護を図れる。また、底面布２と底面布２に縫着される補強布２ａのとの間にブラスチック等の板（芯材）を挟みこむことで、携帯時の靴収納袋１の変形を防止し、靴収納袋に収納された靴の保護がさらに図られる。
【００４７】
各補強布は、プラスチック製の糸、例えばナイロン、で編んだ布などが例示され、靴収納袋１の強度を補強するとともに、外表面の布を貫通して靴を傷つける鋭利物から内部に収納された靴が傷付くのを防ぎ、防水効果もある。さらに、各補強布は、従来から知られている、抗菌、防臭、脱臭機能を備えることが望ましい。
【００４８】
各補強布は、図５に示した各補強布に対応する布よりも一回り小さく点線で示した部分の形状で、図６に各補強布の平面図を示した。図６（Ａ）が左後布３ｃ用の補強布３ｃｋ、（Ｂ）が右後布４ｃ用の補強布４ｃｋ、（Ｃ）が底面布２用の補強布２ａ、（Ｄ）が左右前布３ａ、４ａ用の補強布３ａａ、４ａａである。
【００４９】
縁布２ｂは、底面布２の端部と左右上面部３、４の端部の重なり部分を図７（Ｃ）に示す点線部分で折曲げ覆い、それらをまとめて縫い糸２ｅで縫合する。これにより布端部のほつれ防止と保護、さらに簡易縫合を可能にする。縁布２ｂを用いることなく、底面布２と左右上面部３、４の布を靴収納袋１内部で縫合してもよい。
【００５０】
係止部２ｄは、環状で、靴収納袋１の先端に輪部２ｃを介して取り付けられ、靴収納袋１を壁などに備えられた係止突起に掛けて保管する際に使用する。係止部２ｄを設けることなく、輪部２ｃを大きくして、持ち運びの際の靴収納袋を手或いは指を掛け、提げる取っ手としてもよい。
【００５１】
飾り５ｂは、ツマミ５ａより大きく、指で持ちやすくしたもので、線ファスナー５の操作を容易にするためのものである。その形状をキャラクター、オリジナルロゴなど、各種造形物（ここでは、花形の編み物）とすることで、意匠的な効果も発揮する。
【００５２】
つまみ２ｆは、閉じられた線ファスナー５を開ける場合に、線ファスナー５と異なる手の指でつまむ部分、壁などに掛ける部分として使用することができる。これにより、線ファスナー５を開ける操作が一層容易になる。
【符号の説明】
【００５３】
１    靴収納袋
２      底面布
２ａ    補強布
２ｂ    縁布
２ｃ    輪部
２ｄ    係止部
２ｅ    縫い糸
２ｆ    つまみ
３      左上面部
３ａ    左前布
３ａａ  補強布
３ａｂ  先端部
３ｂ    左チュール
３ｃ    左後布
３ｃａ  第一辺
３ｃｂ  第二辺
３ｃｃ  第三辺
３ｃｄ  第四辺
３ｃｅ  第五辺
３ｃｆ  第六辺
３ｃｇ  側面部
３ｃｈ  背面部
３ｃｉ  上面部
３ｃｋ  補強布
３ｄ    縫い糸
３ｆ    縫合部
４      右上面部
４ａ    右前布
４ａａ  補強布
４ａｂ  先端部
４ｂ    右チュール
４ｃ    右後布
４ｃａ  第一辺
４ｃｂ  第二辺
４ｃｃ  第三辺
４ｃｄ  第四辺
４ｃｅ  第五辺
４ｃｆ  第六辺
４ｃｇ  側面部
４ｃｈ  背面部
４ｃｉ  上面部
４ｃｋ  補強布
４ｄ    縫い糸
４ｆ    縫合部
５      線ファスナー
５ａ    ツマミ
５ｂ    飾り
６      バンド
６ａ    スペース
６ｂ    スペース
６ｃ    縫い糸
６ｄ    縫い糸
７      ゴミ回収ケース
７ａ    重ね部
７ｂ    折目
８      容器
８ａ    滑止剤
９      ポケット
９ａ    ポケット表生地
９ｂ    凹部
９ｃ    折目
９ｄ    縫い糸
９ｅ    ポケット裏生地
９ｆ    凸部
９ｇ    縫い糸
９ｈ    ツマミ
１０    ハイヒール
１０ａ  底面
１０ｂ  ヒール部
１０ｃ  底部
１０ｄ  空間
１１    ヒールカバー
１１ａ  腕部
【図１】
0003180656.tif 000003
【図２】
0003180656.tif 000004
【図３】
0003180656.tif 000005
【図４】
0003180656.tif 000006
【図５】
0003180656.tif 000007
【図６】
0003180656.tif 000008
【図７】
0003180656.tif 000009
【図８】
0003180656.tif 000010
【図９】
0003180656.tif 000011
【図１０】
0003180656.tif 000012